(57)【要約】【課題】  手提げ袋を提げている時、また置いている時でも、折り畳んで閉封した袋上部の開口部分が自然開封することなく、収容している物品を第三者に見られることのない手提げ袋を提供する。【解決手段】  袋本体１の開口上部に帯状の延伸部５を有し、また同延伸部よりも下方に紐状の基部が位置するよう把手４を固定してあって、延伸部の少なくとも前後一側における把手に対向する部位に粘着剤６を塗布し、同粘着剤の粘着面を、少なくとも同粘着面と対向する部位を剥離可能にしてなる前記把手４により保護し、袋本体内に物品を収容して、前記粘着剤の粘着面を保護している把手を剥離して粘着面を露出させ、延伸部の略上半部を折り畳んで袋本体における粘着剤の塗布部上を押え付けると、前記粘着剤が胴部乃至把手に貼り付いて閉封されるように構成した。【選択図】  図２
2009001284.tif 000002
【特許請求の範囲】
【請求項１】
有底にして上部が開口する袋本体の開口上部に、同開口の上端辺に沿う帯状の延伸部を有し、また同延伸部よりも下方における袋本体前後の胴部外面にそれぞれ紐状の把手の基部が位置するよう把手を固定してなる手提げ袋であって、延伸部の少なくとも前後一側における把手に対向する一部乃至全部の部位に粘着剤を塗布し、同粘着剤の粘着面を、少なくとも同粘着面と対向する部位を剥離可能にしてなる前記把手により保護し、袋本体内に物品を収容して、前記粘着剤の粘着面を保護している把手を剥離して粘着面を露出させ、延伸部の略上半部を前後いずれかの胴部側に折り畳んで袋本体における粘着剤の塗布部上を押え付けると、前記粘着剤が胴部乃至把手に貼り付いて閉封されるように構成してなる手提げ袋。
【請求項２】
有底にして上部が開口する袋本体の開口上部に、同開口の上端辺に沿う帯状の延伸部を有し、また同延伸部よりも下方における袋本体前後の胴部外面にそれぞれ紐状の把手の基部が位置するよう把手を固定してなる手提げ袋であって、把手の少なくとも前後一側における延伸部に対向する一部乃至全部の部位に粘着剤を塗布し、同粘着剤の粘着面を、少なくとも同粘着面と対向する部位を剥離可能にしてなる前記延伸部により保護し、袋本体内に物品を収容して、前記粘着剤の粘着面を保護している延伸部を剥離して粘着面を露出させるとともに、延伸部の略上半部を前後いずれかの胴部側に折り畳むととともに、それぞれの把手を合わせて袋本体における粘着剤の塗布部上を押え付けると、前記粘着剤が把手乃至胴部に貼り付いて閉封されるように構成してなる手提げ袋。
【請求項３】
前記粘着剤を、再剥離可能な粘着剤を用いてなる請求項１または請求項２に記載の手提げ袋。
【請求項４】
有底にして上部が開口する袋本体の開口上部に、同開口の上端辺に沿う帯状の延伸部を有し、また同延伸部よりも下方における袋本体前後の胴部外面にそれぞれ紐状の把手の基部が位置するよう把手を固定してなる手提げ袋であって、延伸部の略上半部を前後いずれかの胴部側に折り畳んだ際に把手や延伸部における対向して対になる両方の位置に、それぞれに塗布した粘着剤同士を圧接することで貼り付く粘着剤を塗布し、袋本体内に物品を収容して、延伸部の略上半部を胴部側に折り畳むとともに、対向した前記粘着剤の粘着面同士を圧合すると、同粘着剤同士が貼り付いて閉封されるように構成してなる手提げ袋。
【請求項５】
前記それぞれに塗布した粘着剤同士を圧接することで貼り付く粘着剤を、延伸部の略上半部を前後いずれかの胴部側に折り畳んだ際に把手と延伸部とが対向する部位に塗布してなる請求項４に記載の手提げ袋。
【請求項６】
前記延伸部の略上半部に、前記開口上端辺と平行をなす折目線を設けてなる請求項１乃至請求項５に記載の手提げ袋。
【請求項７】
前記把手を、平坦に形成してなる請求項１乃至請求項６に記載の手提げ袋。
【発明の詳細な説明】
【技術分野】
【０００１】
本発明は、商品を収容する手提げ袋に関し、より詳しくは、物品の収容後に閉封した開口部をステープラや粘着テープ等の固定部材で後止めすることなく、同開口部の自然開封を防止できるようにした手提げ袋に関する。
【背景技術】
【０００２】
従来、物品の収容後に閉封した開口部が自然開封しないようにした手提げ袋としては、例えば、本願出願人の開発に係る特許文献１として示すものがあり、この手提げ袋は、折り畳んで閉封した袋上部の開口部分を、袋本体の胴部前後に有する把手の基部と袋本体の胴部との間に挟むことにより、閉封した開口部が自然開封しないように構成している。
【０００３】
しかしながら、上述する手提げ袋において、手提げ袋を手で提げている場合には、折り畳んで閉封した袋上部の開口部分が把手の基部と袋本体の胴部との間にしっかりと挟まれているので開口部が自然開封しないのであるが、ひとたび手提げ袋を、例えば自動車等の座席等に置き手提げ袋の把手から手を離してしまうと、強制的に折り畳まれて把手の基部と袋本体の胴部との間に挟んでいる折り畳んだ開口部分が、部材の復元力等によってそれまで挟まれていた把手を押し広げるとともに、折り畳んでいる部分が次第に元に戻って、袋上部の開口部分が自然に開封してしまうことがあった。
【０００４】
このため、第三者に見られたくない物品を収容する場合等は、手提げ袋を置いた際に開口部が自然開封しないように、閉封した開口部をステープラや粘着テープ等の固定部材によって後止めしなければならない場合もあり、折り畳んで閉封した袋上部の開口部分における自然開封防止に対して不充分であった。
【０００５】
【特許文献１】特開２００７−１１２５０４号公報（第１〜６頁、図１〜５）
【発明の開示】
【発明が解決しようとする課題】
【０００６】
本発明は、手提げ袋を提げている時、また置いている時でも、折り畳んで閉封した袋上部の開口部分が自然開封することなく、収容している物品を第三者に見られることのない手提げ袋を提供できるようにした。
【課題を解決するための手段】
【０００７】
上述した課題を解決するために、本発明に係る手提げ袋は、有底にして上部が開口する袋本体の開口上部に、同開口の上端辺に沿う帯状の延伸部を有し、また同延伸部よりも下方における袋本体前後の胴部外面にそれぞれ紐状の把手の基部が位置するよう把手を固定してなる手提げ袋であって、延伸部の少なくとも前後一側における把手に対向する一部乃至全部の部位に粘着剤を塗布し、同粘着剤の粘着面を、少なくとも同粘着面と対向する部位を剥離可能にしてなる前記把手により保護し、袋本体内に物品を収容して、前記粘着剤の粘着面を保護している把手を剥離して粘着面を露出させ、延伸部の略上半部を前後いずれかの胴部側に折り畳んで袋本体における粘着剤の塗布部上を押え付けると、前記粘着剤が胴部乃至把手に貼り付いて閉封されるようにした構成のものとしてある。
【０００８】
有底にして上部が開口する袋本体の開口上部に、同開口の上端辺に沿う帯状の延伸部を有し、また同延伸部よりも下方における袋本体前後の胴部外面にそれぞれ紐状の把手の基部が位置するよう把手を固定してなる手提げ袋であって、把手の少なくとも前後一側における延伸部に対向する一部乃至全部の部位に粘着剤を塗布し、同粘着剤の粘着面を、少なくとも同粘着面と対向する部位を剥離可能にしてなる前記延伸部により保護し、袋本体内に物品を収容して、前記粘着剤の粘着面を保護している延伸部を剥離して粘着面を露出させるとともに、延伸部の略上半部を前後いずれかの胴部側に折り畳むととともに、それぞれの把手を合わせて袋本体における粘着剤の塗布部上を押え付けると、前記粘着剤が把手乃至胴部に貼り付いて閉封されるようにした構成のものとしてある。
【０００９】
また前記粘着剤を、再剥離可能な粘着剤を用いたものとしてある。
【００１０】
有底にして上部が開口する袋本体の開口上部に、同開口の上端辺に沿う帯状の延伸部を有し、また同延伸部よりも下方における袋本体前後の胴部外面にそれぞれ紐状の把手の基部が位置するよう把手を固定してなる手提げ袋であって、延伸部の略上半部を前後いずれかの胴部側に折り畳んだ際に把手や延伸部における対向して対になる両方の位置に、それぞれに塗布した粘着剤同士を圧接することで貼り付く粘着剤を塗布し、袋本体内に物品を収容して、延伸部の略上半部を胴部側に折り畳むとともに、対向した前記粘着剤の粘着面同士を圧合すると、同粘着剤同士が貼り付いて閉封されるようにした構成のものとしてある。
【００１１】
また前記それぞれに塗布した粘着剤同士を圧接することで貼り付く粘着剤を、延伸部の略上半部を前後いずれかの胴部側に折り畳んだ際に把手と延伸部とが対向する部位に塗布したものとしてある。
【００１２】
また前記延伸部の略上半部に、前記開口上端辺と平行をなす折目線を設けたものとしたり、前記把手を、平坦に形成したものとしてある。
【発明の効果】
【００１３】
本発明の手提げ袋によれば、物品の収容における一連の収容動作をすることにより、折り畳んだ袋上部の開口部分と手提げ袋の本体胴部や把手に配設した粘着剤とが貼り付けられるので、手提げ袋を手で提げている場合は勿論のこと、手提げ袋を置いた場合も、折り畳んで閉封した袋上部の開口部分における自然開封を防止でき、収容している物品を第三者に見られることを防止できる。
【００１４】
特に、食品等を持ち帰る際の手提げ袋として使用する場合は、前述する袋上部の開口部分における自然開封を防止できるので、食品等を持ち帰るまでの間における空気中の塵埃や細菌等の袋内への侵入を防止でき、したがって衛生的にも非常に優れた効果を期すことができる。
【００１５】
そして、手提げ袋の本体胴部また把手が、粘着剤の粘着面を保護するための剥離紙等の保護部材を兼用できるようにしているので、粘着面がべた付いている通常の粘着剤や再剥離可能な粘着剤等を使用した場合でも、粘着面を保護するための剥離紙等を別途必要とせず、したがって手提げ袋を使用した後のゴミも出ることもなく、また、手提げ袋を重ねて置いていても、上下の手提げ袋同士がくっ付くこともない。
【００１６】
また、手提げ袋の本体胴部また把手が、これら一方に塗布されている粘着剤における粘着面の保護部材であることから本体胴部と把手が粘着剤の粘着力によって貼り付けてあるので、物品収容の際に、把手を外方に引くことによって袋上部の開口部分を開くことができ、物品の収容を容易に行うことができる。
【００１７】
さらには、粘着剤の粘着面が通常では他に貼り付くことがなく、貼り合せようとする場合にそれぞれ塗布した粘着剤同士を圧接することによって貼り付く粘着剤を用いる場合は、粘着剤の粘着面がべたつかないため同粘着面を保護しておく必要がなく、したがって手提げ袋の把手に対向しない部分の本体胴部に塗布することができるので、折り畳んで閉封した袋上部の開口部分を、本体胴部上において広く左右方向に固定することができる。
【００１８】
また、上述する粘着剤同士を圧接することによって貼り付く粘着剤を用いる場合も、特に塵埃等が多い屋外において使用する場合は、通常の粘着剤や再剥離可能な粘着剤等を塗布する部位と同じ部位に塗布することで、手提げ袋の本体胴部また把手が粘着面を保護するため、塵埃等の付着による粘着力の低下を招くことなく使用できる。
【発明を実施するための最良の形態】
【００１９】
以下、本発明の手提げ袋を添付図面に基づいて説明する。
手提げ袋は、図１に示されるように袋本体１の上部に物品を収容するための開口７を配し、また底部２を角底にした例えばクラフト紙よりなる一般的な角底袋に構成してあって、さらに袋本体１の前後における胴部３、３の開口７上端寄りに、把手４、４を把手固定用の補強紙４ａによって固定している。
【００２０】
なお、同把手固定用の補強紙４ａを使用しないで、例えば把手４、４の基部寄りの部分を直接胴部３、３に貼り付ける場合もある。
【００２１】
把手４、４は、平紐タイプのものとしてあって、例えば袋本体１と同じ素材、すなわち本実施例のものではクラフト紙で構成している。
【００２２】
そして、前記把手４、４を固定している把手固定用の補強紙４ａよりも上方すなわち把手４、４の基部よりも上方における袋本体１には、帯状の延伸部５を設けてあり、また同延伸部５の略上半部には袋本体１の開口７上端縁と平行をなす折目線５ａを例えば型押し等の手段によって付してあって、延伸部５における胴部３、３をきれいに、かつ折り畳み易いようにしている。
【００２３】
また、図２、図５に示すように、延伸部５における把手４、４に対向する部位に再剥離可能な粘着剤６、６を塗布してあって、同粘着剤６、６は、手提げ袋１が平坦に畳まれている保管状態（図示は省略）や図１のように、保管状態から袋本体１の前後における胴部３、３を外方に広げて袋本体１上部の開口７を開けるまでは、同図１のように把手４、４によって保護されるようにしている。
【００２４】
この実施例のものでは、粘着剤６、６に例えばアクリル酸エステル共重合体を原料とする再剥離可能なものを用いているが、同粘着剤６、６を保護する把手４、４を、少なくとも粘着剤６、６と対向する部位の表面にシリコーン樹脂等の剥離剤による剥離可能となるような加工を施して、粘着剤には再剥離ができない性質の粘着剤を用いる場合もある。
【００２５】
上述のように構成した本発明の手提げ袋を使用する際は、袋本体１上部の開口７を開け袋本体１内に物品を収容して（図１参照）、粘着剤６、６の粘着面を保護している把手４、４を剥離して粘着面を露出させるとともに、袋本体１の少なくとも延伸部５における前後の胴部３、３を合わせて開口７を閉じる（図２参照）。
【００２６】
そして、延伸部５の略上半部を折目線５ａから胴部３、３の一側（図では前側）に折り畳み（図３参照）、延伸部５の露出している粘着剤６に把手４、４を押付けると、折り畳んだ延伸部５の略上半部と把手４、４とが貼り付いて手提げ袋が確実に閉封される（図４、図６参照）。
【００２７】
また、図７、図８に示す具体例では、図７、図８（ａ）のように、把手４、４における延伸部５に対向する部位に再剥離可能な粘着剤６、６を塗布してあって、同粘着剤６、６は、前述する請求項１の手提げ袋と同じように、手提げ袋１が平坦に畳まれている保管状態（図示は省略）や図１のように、保管状態から袋本体１の前後における胴部３、３を外方に広げて袋本体１上部の開口７を開けた状態までは、同図１と同じように延伸部５によって保護されるようにしている。
【００２８】
そして、手提げ袋の閉封は、袋本体１上部の開口７（図示は省略）から同袋本体１内に同物品を収容して、把手４、４に塗布する粘着剤６、６の粘着面を保護している延伸部５を剥離して粘着面を露出させ、袋本体１の延伸部５における前後の胴部３、３を合わせて袋本体１上部の開口７を閉じる（図８（ａ）参照）。
【００２９】
次いで、延伸部５の折目線５ａから胴部３、３の一側に折り畳んだ同延伸部５の略上半部に把手４、４を押付けると、少なくとも折り畳んだ延伸部５の略上半部と把手４、４とが貼り合わされて手提げ袋が確実に閉封される（図８（ｂ）参照）。
【００３０】
また、粘着剤６、６は、延伸部５もしくは把手４、４のいずれか一方に塗布する場合もあるし、延伸部５と把手４、４の両方に塗布する場合もある。
【００３１】
また、図９、図１０に示す具体例では、胴部３、３の前後一側における延伸部５の略上半部と、同略上半部を胴部３、３の前後いずれか一側に折り畳んだ際に対向する把手４、４のいずれか一方の内側におけるそれぞれ対になる両方の位置に、それぞれに塗布した粘着剤同士を圧接することで貼り付く、例えばゴムラテックス系の粘着剤６ａ、６ａを塗布してあって、同粘着剤６ａ、６ａにおける延伸部５の略上半部に塗布している方の粘着剤６ａは、粘着面がべた付かないことから粘着面の殆ど全部を保護していない。
【００３２】
そして、手提げ袋の閉封は、袋本体１上部の開口７（図示は省略）から同袋本体１内に同物品を収容して、袋本体１の延伸部５における前後の胴部３、３を合わせて袋本体１上部の開口７を閉じて（図１０（ａ）参照）、次に、粘着剤６ａを塗布している延伸部５の略上半部を同粘着剤６ａの塗布側が外側になるように一側の胴部３に折り畳み、同延伸部５の略上半部に粘着剤６ａを塗布している把手４を押付けると、延伸部５の略上半部に塗布している粘着剤６と把手４に塗布している粘着剤６とが貼り付けられて手提げ袋が確実に閉封される（図１０（ｂ）参照）。
【００３３】
また、図１１、図１２に示す具体例では、一側の把手４と対向する胴部３、３の前後一側における延伸部５の上半部と下半部のそれぞれ対になる両方の位置に、それぞれに塗布した粘着剤同士を圧接することで貼り付く粘着剤６ａ、６ａを塗布してあって、同粘着剤６ａ、６ａは、前述する請求項１の手提げ袋と同じように、手提げ袋１が平坦に畳まれている保管状態（図示は省略）や図１のように、保管状態から袋本体１の前後における胴部３、３を外方に広げて袋本体１上部の開口７を開いた状態までは、同図１と同じように一側の把手４によって保護されるようにしている。
【００３４】
そして、手提げ袋の閉封は、袋本体１上部の開口７（図示は省略）から同袋本体１内に同物品を収容して、袋本体１の延伸部５における前後の胴部３、３を合わせて袋本体１上部の開口７を閉じて（図１１、図１２（ａ）参照）、次に、粘着剤６ａを塗布している延伸部５の上半部を同粘着剤６ａの塗布側が内側になるように一側の胴部３（延伸部５の下半部）に折り畳んで押付けると、延伸部５の上半部に塗布している粘着剤６と同延伸部５の下半部に塗布している粘着剤６とが貼り付けられて手提げ袋が確実に閉封される（図１２（ｂ）参照）。
【００３５】
また、上述した実施例のものでは、把手４、４にクラフト紙製の平紐を使用しているが、粘着材６、６の粘着面を保護できる丸紐やその他の形状の紐を使用する場合もあり、また紙以外の例えば合成樹脂成形品や繊維製品の把手を使用する場合もある。
【００３６】
そして、把手はフィルム等によって被覆する場合もあり、またエンボス加工等によって模様を付ける場合もある。
【００３７】
さらに、上述した実施例のものでは、袋本体１をクラフト紙製の角底袋としてあるが、袋本体１の素材もクラフト紙以外の紙や合成樹脂製のシート材あるいは織物等の繊維製シート材を使用する場合もあり、また角底ではなくマチのない袋とする場合もある。
【００３８】
なお、添付図面中の符号８は、袋本体１上部における物品を収容する開口７の開口端である。
【図面の簡単な説明】
【００３９】
【図１】本発明に係る手提げ袋の実施例を示す斜視図。
【図２】図１における手提げ袋の閉封過程における一状態を示す斜視図。
【図３】図１における手提げ袋の閉封過程における一状態を示す斜視図。
【図４】図１における手提げ袋の閉封過程における一状態を示す斜視図。
【図５】図１における袋上方部分の拡大縦断面図。
【図６】手提げ袋の使用状態における袋上方部分の拡大縦断面図。
【図７】本発明に係る手提げ袋の実施例を示す斜視図。
【図８】手提げ袋における上方部分の拡大縦断面図。
【図９】本発明に係る手提げ袋の実施例を示す斜視図。
【図１０】手提げ袋における上方部分の拡大縦断面図。
【図１１】本発明に係る手提げ袋の実施例を示す斜視図。
【図１２】手提げ袋における上方部分の拡大縦断面図。
【符号の説明】
【００４０】
１  袋本体
２  底部
３  胴部
４  把手
４ａ  補強紙
５  延伸部
５ａ  折目線
６  粘着剤
６ａ  粘着剤
７  開口
８  開口端
【図１】
2009001284.tif 000003
【図２】
2009001284.tif 000004
【図３】
2009001284.tif 000005
【図４】
2009001284.tif 000006
【図５】
2009001284.tif 000007
【図６】
2009001284.tif 000008
【図７】
2009001284.tif 000009
【図８】
2009001284.tif 000010
【図９】
2009001284.tif 000011
【図１０】
2009001284.tif 000012
【図１１】
2009001284.tif 000013
【図１２】
2009001284.tif 000014